(57)【要約】  走査型眼底撮影装置は、スリット光を走査して被検眼６の眼底６ｂに投光し、眼底６ｂからの反射光を受光して眼底６ｂを撮影する。走査型眼底撮影装置は、スリット光を光路分割デバイス２へと照射する照明光学系と、スリット光を一方向に走査する第１走査デバイス４と、光路分割デバイス２を経て入光したスリット光を第１走査デバイス４へと伝達する第１凹面鏡３と、第１走査デバイス４で走査されたスリット光を眼底６ｂへと伝達する第２凹面鏡５とを有する対物光学系と、光路分割デバイス２を経て入光した眼底６ｂからの反射光を受光する撮影光学系７とを備え、第１凹面鏡３がスリット光の広がり角を拡大して第１走査デバイス４にリレーする。
2018088338.tif 000002
【特許請求の範囲】
【請求項１】
スリット光を走査して被検眼の眼底に投光し、前記眼底からの反射光を受光して前記眼底を撮影するライン走査型眼底撮影装置であって、
前記スリット光を光路分割デバイスへと照射する照明光学系と、
前記スリット光を一方向に走査する第１走査デバイスと、前記光路分割デバイスを経て入光した前記スリット光を前記第１走査デバイスへと伝達する第１凹面鏡と、前記第１走査デバイスで走査された前記スリット光を前記眼底へと伝達する第２凹面鏡とを有する対物光学系と、
前記光路分割デバイスを経て入光した前記眼底からの反射光を受光する撮影光学系とを備え、
前記第１凹面鏡が前記スリット光の広がり角を拡大させることを特徴とする、ライン走査型眼底撮影装置。
【請求項２】
前記撮影光学系が、前記眼底からの反射光を受光するライン状のマルチ光センサを備え、
該ライン状のマルチ光センサは前記第１走査デバイスに同期して動作することを特徴とする、請求項１に記載のライン走査型眼底撮影装置。
【請求項３】
前記撮影光学系が、前記眼底からの反射光を受光する二次元マルチ光センサと、前記眼底からの反射光を再走査して前記二次元マルチ光センサに入射させる第２走査デバイスとを備え、
該第２走査デバイスが前記第１走査デバイスの走査動作と同期して互いに平行な方向に走査動作を行うことを特徴とする、請求項１に記載のライン走査型眼底撮影装置。
【請求項４】
前記第２走査デバイスの走査角度が前記第１走査デバイスの走査角度よりも小さい、請求項３に記載のライン走査型眼底撮影装置。
【請求項５】
前記第１走査デバイスが前記スリット光を一回走査する間に前記第２走査デバイスが前記反射光を複数回走査する、請求項４に記載のライン走査型眼底撮影装置。
【請求項６】
前記第１凹面鏡の第１焦点に前記光路分割デバイスが、第２焦点に前記第１走査デバイスがそれぞれ配置され、
前記第２凹面鏡の第１焦点が前記第１凹面鏡の第２焦点に一致し、
前記第２凹面鏡の第２焦点が被検眼の瞳位置に位置することを特徴とする、請求項１〜５のいずれか１項に記載のライン走査型眼底撮影装置。
【請求項７】
前記第２走査デバイスが被検眼の瞳共役位置に配置されることを特徴とする、請求項３〜５のいずれか１項に記載のライン走査型眼底撮影装置。
【請求項８】
前記撮影光学系が、被検眼の眼底共役位置にスリット開口を有することを特徴とする、請求項１〜７のいずれか１項に記載のライン走査型眼底撮影装置。
【発明の詳細な説明】
【技術分野】
【０００１】
本発明は、眼底に対して光を走査し、眼底からの反射光を受光して眼底を撮影する走査型眼底撮影装置に関する。
【背景技術】
【０００２】
コントラストが高く、広角の眼底画像を得るための眼底撮影装置としてＳＬＯ（Scanning Laser Ophthalmoscope）やＬ−ＳＬＯ（Line-Scanning Laser Ophthalmoscope）と呼ばれる走査型眼底撮影装置が知られている。【０００３】
例えば特許文献１には、レーザー光源から照射されたレーザー光を第１の走査要素１４（多面鏡）で一方向に高速走査し、走査補償手段１８（スリット鏡）を介して第２の走査要素１６（振動平面鏡）に入射させ、第２の走査要素で第１の走査要素１４の走査方向とは直交する方向にレーザー光を低速走査することによりレーザー光を２次元走査し、２次元走査されたレーザー光を走査移動手段２０（主鏡）で反射させて眼底に投光する構成が開示されている。【０００４】
また、例えば特許文献２には、ＬＥＤ光源１０１とスリット１０２を用いて照射されたスリット光を走査デバイス１０５（ガルバノミラー）で走査し、二つの光学レンズ（走査レンズ１０６と接眼レンズ１０７）を通過させて眼底に投光する構成が開示されている。
【先行技術文献】
【特許文献】
【０００５】
【特許文献１】特許第５３３０２３６号公報
【特許文献２】米国特許公開公報２０１５／０１３１０５０Ａ１
【発明の概要】
【発明が解決しようとする課題】
【０００６】
しかしながら、特許文献１に記載された方法では、ポイント走査方式であるためにコントラストが高い画像が得られるものの、その反面、光源にレーザーを使用するために基本的には単色画像が撮影されることとなる。それゆえカラー画像を実現しようとすると高価なレーザー光源を複数搭載する必要があり、装置が高価な構成となってしまうという問題がある。また、レーザー光源は波長幅が狭く、撮影した眼底画像の色再現性が乏しいという問題もある。【０００７】
また、特許文献２に記載された方法では、レンズを用いた光学系を採用することと、走査デバイスが一つで済むことから安価な構成にはなるものの、その反面、レンズによる構成で画角８０度以上となる広角の眼底画像を撮影する構成は技術的に難しい。仮にレンズを用いた光学系で画角８０度以上の広角撮影を実現しようとするとワーキング長が短くなり、被検眼とレンズとの距離が狭いために操作性が悪く、被検者の眼または顔に装置の一部が接触する可能性がある。さらに余裕のあるワーキング長を確保しようとすると、広角レンズを大型化せざるを得なくなり、装置が高価な構成となってしまうという問題点もある。【０００８】
本発明は、このような点に鑑みてなされたものであり、従来の装置よりも安価な構成で、広い網膜範囲を高画質で撮影することが可能な走査型眼底撮影装置を提供することを目的とする。
【課題を解決するための手段】
【０００９】
上記目的を達成するために、本発明は、スリット光を走査して被検眼の眼底に投光し、前記眼底からの反射光を受光して前記眼底を撮影するライン走査型眼底撮影装置であって、前記スリット光を光路分割デバイスへと照射する照明光学系と、前記スリット光を一方向に走査する第１走査デバイスと、前記光路分割デバイスを経て入光した前記スリット光を前記第１走査デバイスへと伝達する第１凹面鏡と、前記第１走査デバイスで走査された前記スリット光を前記眼底へと伝達する第２凹面鏡とを有する対物光学系と、前記光路分割デバイスを経て入光した前記眼底からの反射光を受光する撮影光学系とを備え、前記第１凹面鏡が前記スリット光の広がり角を拡大させることを特徴とする、ライン走査型眼底撮影装置を提供する（発明１）。【００１０】
上記発明（発明１）によれば、ライン走査型眼底撮影装置を、狭角スリット光を扱うレンズ光学系と、広角スリット光を扱う凹面鏡光学系の特徴を生かして設計することが可能になる。すなわち、対物光学系（第１凹面鏡と第２凹面鏡）は広角スリット光を扱うため専用の凹面鏡で構成されるが、照明光学系と撮影光学系で扱われるのは狭角スリット光に限定されており、大きなレンズ等の高価な光学デバイスが不要となるため、従来の装置よりも安価な構成で、広い網膜範囲を高画質で撮影することが可能となる。【００１１】
上記発明（発明１）においては、前記撮影光学系が、前記眼底からの反射光を受光するライン状のマルチ光センサを備え、該ライン状のマルチ光センサが前記第１走査デバイスに同期して動作するようにしてもよい（発明２）。【００１２】
また、上記発明（発明１）においては、前記撮影光学系が、前記眼底からの反射光を受光する２次元マルチ光センサと、前記眼底からの反射光を再走査して前記２次元マルチ光センサに入射させる第２走査デバイスとを備え、該第２走査デバイスが前記第１走査デバイスの走査動作と同期して互いに平行な方向に走査動作を行うようにしてもよい（発明３）。【００１３】
上記発明（発明３）においては、前記第２走査デバイスの走査角度が前記第１走査デバイスの走査角度よりも小さくてもよい（発明４）。さらに上記発明（発明４）においては、前記第１走査デバイスが前記スリット光を一回走査する間に前記第２走査デバイスが前記反射光を複数回走査するものとしてもよい（発明５）。広い網膜範囲を空間的に分割してマルチ光センサで複数回撮影することにより、広角で且つ解像度の高い眼底撮影が可能になる。【００１４】
上記発明（発明１〜５）においては、前記第１凹面鏡の第１焦点に前記光路分割デバイスが、第２焦点に前記第１走査デバイスがそれぞれ配置され、前記第２凹面鏡の第１焦点が前記第１凹面鏡の第２焦点に一致し、前記第２凹面鏡の第２焦点が被検眼の瞳位置に位置することが好ましい（発明６）。患者の瞳孔径が小さいほど広角の眼底撮影は困難であるが、上記発明（発明６）によればそれが可能になる。【００１５】
上記発明（発明３〜５）においては、前記第２走査デバイスが被検眼の瞳共役位置に配置されることが好ましい（発明７）。【００１６】
上記発明（発明１〜７）においては、前記撮影光学系が、被検眼の眼底共役位置にスリット開口を有することが好ましい（発明８）。このように配置されたスリット開口は、眼底からの反射光を通すが眼底以外からの光を通さないため、コントラストの高い眼底画像が得られる。
【発明の効果】
【００１７】
本発明のライン走査型眼底撮影装置によれば、従来の装置よりも安価な構成で、広い網膜範囲を高画質で撮影することが可能となる。
【図面の簡単な説明】
【００１８】
【図１】本発明の第１の実施形態に係るライン走査型眼底撮影装置の光学構成を示す説明図である。
【図２】同第１の実施形態に係るライン走査型眼底撮影装置の対物光学系の光学構成を、スリット光の入射方向から見た状態で示す説明図である。
【図３】同第１の実施形態に係るライン走査型眼底撮影装置の受光部（撮影光学系）の光学構成を示す説明図である。
【図４】同第１の実施形態に係るライン走査型眼底撮影装置の対物光学系の構成と光線光路を模式的に示す説明図である。
【図５】本発明の第２の実施形態に係るライン走査型眼底撮影装置の受光部（撮影光学系）の光学構成を示す説明図である。
【図６】同第２の実施形態に係るライン走査型眼底撮影装置における反射光の光線光路を模式的に示す説明図である。
【発明を実施するための形態】
【００１９】
（第１の実施形態）
以下、本発明の第１の実施形態を図面に基づいて詳細に説明する。図１には、本実施形態に係るライン走査型眼底撮影装置の基本的な光学構成が図示されており、図２には本実施形態に係るライン走査型眼底撮影装置の対物光学系の光学構成を、スリット光の入射方向から見た状態（図１における矢印Ａの方向から見た状態）が図示されている。
【００２０】
図１及び２に示すように、本実施形態に係るライン走査型眼底撮影装置では、スリット光源１（照明光学系）からのスリット光がビームスプリッター２（光路分割デバイス）に入射し、ビームスプリッター２を透過したスリット光が第１凹面鏡３で反射され、第１走査デバイス４に入射する。第１走査デバイス４にて反射されると同時に走査されたスリット光は第２凹面鏡５で反射され、被検眼６の瞳６ａを通過して眼底６ｂに集光される。スリット光の広がり方向は、第１走査デバイス４（例えばガルバノミラー）の走査方向とは垂直な関係にある。図１におけるスリット光の広がり方向は紙面に対して垂直な方向であり、図２におけるスリット光の広がり方向は左右方向である。
【００２１】
眼底６ｂに投光されたスリット光は眼底６ｂで反射され、眼底６ｂからの反射光は、同じ光路を矢印と逆方向に進み、第２凹面鏡５、第１走査デバイス４、第１凹面鏡３を経てビームスプリッター２で反射され受光部７（撮影光学系）に入射する。眼底をスリット状の光で照明しているので、受光部７に結像される眼底像もスリット状になる。第１走査デバイスでスリット光が走査されると、走査角に応じた眼底の部位がスリット状に照明され、受光部７にはスリット状の眼底像が順次結像される。
【００２２】
図３には本実施形態に係る走査型眼底撮影装置の受光部７の光学構成が図示されている。受光部７に入射した眼底６ｂからの反射光は、第１リレーレンズ７ａによりスリット開口７ｂへと導かれ、スリット開口７ｂを通過した反射光が第２リレーレンズ７ｃを経て、カメラレンズ７ｅによりフォトダイオードで構成された光電変換デバイス７ｆ（受光手段）に入射する。光電変換デバイス７ｆはライン状のマルチ光センサで、例えばフォトダイオードを１次元のライン状に配置したラインカメラである。このようにして眼底６ｂの各点の輝度情報を光電変換デバイス７ｆにより得ることができる。そして、その得られた輝度情報すなわち光電変換デバイス７ｆの出力強度と、走査デバイスの走査位置情報に基づいて、眼底６ｂの撮影像を形成することができる。撮影された眼底６ｂは、記憶装置（不図示）に格納されたり、ディスプレイ（不図示）に表示されたり、あるいはプリンター（不図示）により印刷される。
【００２３】
本実施形態におけるスリット光源１は、例えば白色ＬＥＤ光源からの光をコリメートし、スリット開口部で切り取り、スリットを通過した光が水平方向に所定の長さを持つスリット光としてビームスプリッター２へと照射されるように構成される。
【００２４】
ビームスプリッター２から被検眼６の瞳６ａまでの構成は、本実施形態に係る走査型眼底撮影装置の対物光学系であり、スリット光源１から照射されたスリット光の投光光路と眼底６ｂからの反射光の受光光路の共通光路となる。図４に対物光学系の光学配置模式図を示す。図４では光線の流れがわかりやすいように、光線を一方向に伝達するように示している。そのため、第１凹面鏡３及び第２凹面鏡５で光線が透過しているように記載されているが、実際の光線は各凹面鏡で反射している。この対物光学系において第１凹面鏡３は、第１瞳位置に位置するビームスプリッター２から第２瞳位置に位置する第１走査デバイス４へとスリット光をリレーするものである。スリット光は、第１凹面鏡３により広がり角が拡大される。例えば、第１凹面鏡３に入射するスリット光は５０度の広がり角（図中のθ１）の光線であり、第１凹面鏡３で反射したスリット光は１５０度の広がり角（図中のθ２）に拡大されて第１走査デバイス４へと伝達される。また、第１凹面鏡３は、例えば水平方向に延びるスリット状の楕円鏡とすることができる。
【００２５】
第１走査デバイス４はガルバノミラーにより構成され、第１凹面鏡３により反射された広角のスリット光が第１走査デバイス４によって縦方向（スリット光の長手方向に対して垂直な方向）に低速走査されて第２凹面鏡５に入射される。
【００２６】
第２凹面鏡５は、第２瞳位置に位置する第１走査デバイス４によって走査されたスリット光を第３瞳位置に位置する被検眼６の瞳６ａへとリレーするものであり、走査されたスリット光が第２凹面鏡５により反射されて被検眼６の瞳６ａに集光され、眼底６ｂへと投光される。第２凹面鏡５は、例えば広角の楕円鏡とすることができる。
【００２７】
図４に示すように、第１凹面鏡３の第１焦点３ａにはビームスプリッター２が位置し、第１走査デバイス４であるガルバノミラーは、第１凹面鏡３の第２焦点３ｂに配置される。また、第２凹面鏡５の第１焦点５ａには第１走査デバイス４であるガルバノミラーが配置され、第２凹面鏡５の第２焦点５ｂには被検眼６の瞳６ａが位置するので、第１凹面鏡３の第２焦点３ｂと第２凹面鏡５の第１焦点５ａは同一位置にあることとなる。
【００２８】
このような対物光学系の構成とすることにより、狭角（例えば５０度）の光線であるスリット光を第１凹面鏡３によって倍率をかけて広角（例えば１５０度）のスリット光とすることができる。これにより照明光学系（スリット光源１）や撮影光学系（受光部７）において広角スリット光を扱う必要がなくなるため、広角スリット光に対応するための大きく複雑な構成のレンズが不要となり、従来の装置よりも安価な構成で、広い網膜範囲を高画質で撮影することが可能となる。
【００２９】
眼底６ｂへ投光されたスリット光は眼底６ｂで反射され、眼底６ｂからの反射光は、図１に示すように、スリット光と同じ光路を逆方向に進み、第２凹面鏡５、第１走査デバイス４、第１凹面鏡３を経てビームスプリッター２で反射され受光部７に入射する。
【００３０】
図３に示すように、受光部７に入射した反射光は、第１リレーレンズ７ａによって眼底共役面に位置するスリット開口７ｂに集光され、スリット開口７ｂを通過し、第２リレーレンズ７ｃを経て、カメラレンズ７ｅによりライン状のマルチ光センサである光電変換デバイス７ｆにスリット状の眼底像を結像させる構成となる。第１走査デバイス４の走査と同期して光電変換デバイス７ｆにて眼底がスキャン撮影される。取得された眼底画像は第１走査デバイス４の走査位置情報に基づいて並べられ、二次元の広い範囲の眼底画像を得ることが可能となる。
【００３１】
なお、受光部７において、スリット開口７ｂは被検眼６の眼底６ｂと共役となる位置に配置される。このように配置したスリット開口７ｂに反射光を導くことによって、眼底像の周りで発生した、測定に不要な光（迷光）がスリット開口７ｂで除去され、コントラストの高い眼底像を撮影することができる。
【００３２】
（第２の実施形態）
続いて、本発明の第２の実施形態を図面に基づいて詳細に説明する。第２の実施形態に係るライン走査型眼底撮影装置は、第１の実施形態に係るライン走査型眼底撮影装置の受光部７を、異なる光学構成を有する受光部７Ａに置き換えたものである。図５には本実施形態に係る受光部７Ａの光学構成が図示されている。受光部７Ａ以外の構成は第１の実施形態と同様であるため、説明を省略する。
【００３３】
図５に示すように、受光部７Ａに入射した眼底６ｂからの反射光は、第１リレーレンズ７Ａａによりスリット開口７Ａｂに集光され、スリット開口７Ａｂを通過した反射光が第２リレーレンズ７Ａｃを経て、第２走査デバイス７Ａｄに入射する。第２走査デバイス７Ａｄはガルバノミラーにより構成され、スリット開口７Ａｂを通過した反射光が第２走査デバイス７Ａｄによって縦方向（スリット光の長手方向に対して垂直な方向）に低速走査されてカメラレンズ７Ａｅに入射される。第１リレーレンズ７Ａａと第２リレーレンズ７Ａｃはそれぞれ同じ焦点距離を持つ球面レンズ群で、向かい合って配置される。また、第１リレーレンズ７Ａａの前側焦点位置にはビームスプリッター２が、後側焦点位置にはスリット開口７Ａｂが配置される。同様に、第２リレーレンズ７Ａｃの前側焦点位置にはスリット開口７Ａｂが、後側焦点位置には第２走査デバイス７Ａｄ（ガルバノミラー）が配置される。第２走査デバイス７Ａｄによって走査された反射光はカメラレンズ７Ａｅによりフォトダイオードで構成された光電変換デバイス７Ａｆに入射する。光電変換デバイス７Ａｆは二次元のマルチ光センサで、例えばフォトダイオードを二次元のエリア状に配置したＣＣＤカメラである。
【００３４】
なお、受光部７Ａにおいて、スリット開口７Ａｂは被検眼６の眼底６ｂと共役となる位置に配置される。このように配置したスリット開口７Ａｂに反射光を導くことによって、眼底像の周りで発生した、測定に不要な光（迷光）がスリット開口７Ａｂで除去され、コントラストの高い眼底像を撮影することができる。
【００３５】
受光部７Ａにおいて、第２走査デバイス７Ａｄは被検眼６の瞳６ａと共役となる位置に配置されている。また、第２走査デバイス７Ａｄの走査動作は第１走査デバイス４の走査動作に同期している。このようにして眼底６ｂの各点の輝度情報を光電変換デバイス７Ａｆにより得ることができる。そして、その得られた輝度情報すなわち光電変換デバイス７Ａｆの出力強度と、二つの走査デバイスの走査位置情報に基づいて、眼底６ｂの撮影像を形成することができる。撮影された眼底６ｂは、記憶装置（不図示）に格納されたり、ディスプレイ（不図示）に表示されたり、あるいはプリンター（不図示）により印刷される。
【００３６】
第１の実施形態に係る受光部７の構成と、第２の実施形態に係る受光部７Ａの構成とを比べると、第２の実施形態で使用するエリア状のマルチ光センサ（光電変換デバイス７Ａｆ）は一般に広く普及しており、高解像度で安価なものが多くあるが、第２走査デバイス７Ａｄが必要となる。その点で第１の実施形態は第２走査デバイス７Ａｄが不要であるため、構成がシンプルになるという特徴を有する。一方でライン状のマルチ光センサはエリア状のマルチ光センサに比べて選定の自由度が少ないという事情もある。よって、第１の実施形態と第２の実施形態のどちらが優れているということはなく、それぞれに一長一短あるため、周辺事情に応じてどちらの受光部の構成とするか選択すべきであろう。
【００３７】
ここで、走査動作の同期とは必ずしも同じ走査速度かつ同じ走査角度で走査することを意味するものではなく、例えば第１走査デバイス４であるガルバノミラーの走査角度よりも第２走査デバイス７Ａｄであるガルバノミラーの走査角度を小さくし、第１走査デバイス４が一回の走査動作を行う間に第２走査デバイス７Ａｄが三回の走査動作を行う等、第１走査デバイス４による走査動作と第２走査デバイス７Ａｄによる走査動作とが一定の関係性を維持したタイミングで行われることを意味している。
【００３８】
対物光学系において、第１走査デバイス４は入射したスリット光を目的の位置に照明する役割を果たす。その一方で、図６に示すように、第１走査デバイス４は、被検眼６の眼底６ｂからの反射光に対して再走査を行う。この再走査により、反射光は入射したスリット光と同一経路をたどるため、眼底に対する走査位置情報を失って第１凹面鏡３に進む。さらに、反射光の進路は第１凹面鏡３で反射され、光路分割デバイス（ビームスプリッター２）を経て走査位置情報を持たない光線として受光部７Ａに向かう。そこで、受光部７Ａにおいて第２走査デバイス７Ａｄが再び反射光を走査する構成とし、第２走査デバイス７Ａｄが第１走査デバイス４の走査動作と同期して走査動作を行うようにすることにより、第１走査デバイス４が縦方向に走査した位置に関する走査位置情報を再度反射光に持たせることが可能となる。その結果として反射光は、エリア状のマルチ光センサ７Ａｆ上に投影され、走査された二次元の広角眼底像として結像される。
【００３９】
また、第２走査デバイス７Ａｄの走査角度（ガルバノミラーの振り角度）を第１走査デバイス４の走査角度（ガルバノミラーの振り角度）よりも小さくして、第１走査デバイス４でスリット光を一回走査する間に第２走査デバイス７Ａｄで複数回反射光を走査し、何枚も眼底６ｂの撮影像を形成することで、一枚あたりの撮影範囲が狭くなり、解像度の高い眼底画像を撮影することができる。
【００４０】
例えば、第１走査デバイス４でスリット光を一回走査する間に、第２走査デバイス７Ａｄで三回反射光を走査し、第２走査デバイス７Ａｄの走査に合わせてカメラレンズ７Ａｅ及び光電変換デバイス７Ａｆから構成されるＣＣＤカメラで三回シャッターを切れば、眼底６ｂの所望の撮影対象領域を三分割した眼底画像を三枚撮影することができる。これら三枚の眼底画像を画像処理によって繋ぎ合わせることにより、眼底６ｂの撮影対象領域全体をカバーする高解像度の眼底画像一枚を得ることができる。
【００４１】
以上、本発明に係る走査型眼科撮影装置について図面に基づいて説明してきたが、本発明は上記実施形態に限定されることなく、種々の変更実施が可能である。
【００４２】
例えば、光路分割デバイスであるビームスプリッター２は、穴あきミラー等に変更しても良い。穴あきミラーを光路分割デバイスとして用いる場合、穴あきミラーの穴部からスリット光を入光しリング状のミラー面を使って眼底からの反射光を撮影光学系に導く。これにより、投光と受光を光路分割デバイス面上で空間的に分離できるため、眼等で発生した有害光を穴あきミラーによって除去する効果がある。
【符号の説明】
【００４３】
１  スリット光源（照明光学系）
２  ビームスプリッター（光路分割デバイス）
３  第１凹面鏡
４  第１走査デバイス
５  第２凹面鏡
６  被検眼
６ａ  瞳
６ｂ  眼底
７，７Ａ  受光部（撮影光学系）
７ａ，７Ａａ  第１リレーレンズ
７ｂ，７Ａｂ  スリット開口
７ｃ，７Ａｃ  第２リレーレンズ
７Ａｄ  第２走査デバイス
７ｅ，７Ａｅ  カメラレンズ
７ｆ，７Ａｆ  光電変換デバイス
【図１】
2018088338.tif 000003
【図２】
2018088338.tif 000004
【図３】
2018088338.tif 000005
【図４】
2018088338.tif 000006
【図５】
2018088338.tif 000007
【図６】
2018088338.tif 000008
【国際調査報告】
2018088338.tif 000009
2018088338.tif 000010